(57)【要約】【課題】本発明の課題は、針先により指を傷つける恐れを低減し、かつ、収納時における嵩を低減して、安全性及び収納性に優れた画鋲を提供することである。【解決手段】上記課題を解決するために、先端部と固定端部を有する針部と、前記固定端部を固定する固定面を有する頭部と、を備えた画鋲において、前記固定端部は、前記固定端部を軸として前記先端部を回動する回動機構を有し、前記針部と前記固定面が略平行状態となる場合に、前記先端部は前記固定面の外縁より内側に収まることを特徴とする、画鋲を提供する。【選択図】図３
2018154089.tif 000002
【特許請求の範囲】
【請求項１】
先端部と固定端部を有する針部と、前記固定端部を固定する固定面を有する頭部と、を備えた画鋲において、
前記固定端部は、前記固定端部を軸として前記先端部を回動する回動機構を有し、
前記針部と前記固定面が略平行状態となる場合に、前記先端部は前記固定面の外縁より内側に収まることを特徴とする、画鋲。
【請求項２】
前記回動機構は、手動によってのみ回動することを特徴とする、請求項１に記載の画鋲。
【請求項３】
前記固定面は、凹部又は穴部を有し、前記針部と前記固定面が略平行状態となる場合に、前記針部が前記凹部又は穴部の領域と重なることを特徴とする、請求項１又は２に記載の画鋲。
【請求項４】
前記回動機構は、前記針部の回動を制限するロック機構を有することを特徴とする、請求項１〜３のいずれかに記載の画鋲。
【請求項５】
前記回動機構は、前記針部が前記固定面と略垂直状態となる方向へ回動する力を加える付勢手段を有することを特徴とする、請求項４に記載の画鋲。
【請求項６】
前記回動機構は、回動操作を行うための操作レバーを有することを特徴とする、請求項１〜５のいずれかに記載の画鋲。
【請求項７】
前記回動機構は、前記固定面より突設してなり、前記回動機構の少なくとも一部は、前記固定面の外縁より内側に形成されることを特徴とする、請求項１〜６のいずれかに記載の画鋲。
【請求項８】
前記頭部は、前記先端部を収容する収容部を有することを特徴とする、請求項１〜７のいずれかに記載の画鋲。
【発明の詳細な説明】
【技術分野】
【０００１】
本発明は、掲示物等を壁面に固定する際などに使用される、画鋲に関するものである。更に詳しくは、本発明は、安全性や収納性に優れる画鋲に関するものである。
【背景技術】
【０００２】
従来の画鋲は、画鋲を壁に押し付けるための頭部に対して、略垂直方向に針部が固定されている。このような画鋲では、針先が露出しているため、画鋲を収納するケースから取り出す際に、針で指を傷つける恐れがある。
【０００３】
このような従来の画鋲の課題に対して、針の取り付け部に支点を設けることにより、取り付け面に対して垂直な状態にある針が、不使用時には針の取り付け面に対して平行な状態となる画鋲が知られている（特許文献１）。また、この画鋲では、針の支点に板バネ等が組み込まれているため、画鋲が壁や柱などから抜け落ちた際に、針が、自動的に針の取り付け面に対して平行な状態となり、針の収納部分に収納される。
【０００４】
更に、特許文献１に記載された画鋲は、使用時に収納された針を取り出すための構成として、針先の一部が、針の収納部分から露出している。つまりは、この画鋲を使用する際には、収納部分から露出した針先の一部を目的の箇所に刺し、この状態で収納部分を回すことにより針を収納部分から取り出すことが可能となる。
【先行技術文献】
【特許文献】
【０００５】
【特許文献１】特開２０００−１９８２９８号公報
【発明の概要】
【発明が解決しようとする課題】
【０００６】
この特許文献１に記載された画鋲では、不使用時には針の大部分が収納されているため、画鋲収納ケースから取り出す際に、針が指の深くまで刺さり、大けがをするという危険はない。しかしながら、針先の一部が、針の収納部分から露出しているため、画鋲収納ケースから取り出す際に、指を傷つける恐れが依然として残っている。また、画鋲収納ケースに収納する際に、露出した針先に空間が取られるため、嵩が増し、収納性が悪いという課題がある。
【０００７】
そこで、本発明の課題は、針先により指を傷つける恐れを低減し、かつ、収納時における嵩を低減して、安全性及び収納性に優れた画鋲を提供することである。
【課題を解決するための手段】
【０００８】
本発明者らは、上記課題を解決するために、針部が頭部に対して回動可能に取り付けられた画鋲において、針部と頭部の固定面が略平行な状態となった時に、針部の先端部が頭部の固定面の外縁より内側に収まることにより、不使用時に針先が露出することなく、安全性及び収納性に優れた画鋲を提供できることを見出し、本発明を完成するに至った。
すなわし、本発明は、以下の画鋲である。
【０００９】
本発明の画鋲は、先端部と固定端部を有する針部と、前記固定端部を固定する固定面を有する頭部と、を備えた画鋲において、前記固定端部は、前記固定端部を軸として前記先端部を回動する回動機構を有し、前記針部と前記固定面が略平行状態となる場合に、前記先端部は前記固定面の外縁より内側に収まることを特徴とする。
【００１０】
この画鋲によれば、針部の先端部が頭部の固定面に略平行状態となったときに、先端部が固定面の外縁より内側に収まることから、頭部から針部の先端部が露出しない。そのため、画鋲収納ケースから取り出す際に、指を傷つける危険性が低減され、安全性に優れた画鋲を提供することができる。また、画鋲収納ケースに収納する際に、露出した針先に空間が取られないため、嵩が低減し、収納性に優れた画鋲を提供することができる。
【００１１】
更に本発明の画鋲の一実施態様としては、前記回動機構は、手動によってのみ回動することを特徴とする。
この特徴によれば、板バネ等の付勢手段を設ける必要がないため、簡素な構造物により回動機構を構成することができる。
【００１２】
更に本発明の画鋲の一実施態様としては、前記固定面は、凹部又は穴部を有し、前記針部と前記固定面が略平行状態となる場合に、前記針部が前記凹部又は穴部の領域と重なることを特徴とする。
画鋲の使用時に、固定面と平衡状態にある針部を垂直状態へ回動する際、固定面に当接した針部をつまみ上げることは困難である。しかし、この特徴によれば、固定面に設けられた凹部又は穴部において、指爪等を針部にかけることができるため、簡単に針部をつまみ上げることができる。また、穴部を設けた場合には、固定面の裏側から、針部を指等で押し上げることも可能である。
更には、固定面に穴を形成すると、誤飲により画鋲が喉等に詰まった場合に、穴部から空気が通過するため、呼吸を確保できるという効果もある。
【００１３】
更に本発明の画鋲の一実施態様としては、前記回動機構は、前記針部の回動を制限するロック機構を有することを特徴とする。
この特徴によれば、画鋲を壁等に刺す操作を行う際に、針部が固定面と略垂直状態に固定されるため、画鋲を刺しやすいという効果がある。また、不使用時には、針部が固定面と略平行状態に固定されるため、針部が起き上がって先端部が露出する恐れがない。
【００１４】
更に本発明の画鋲の一実施態様としては、前記回動機構は、前記針部が前記固定面と略垂直状態となる方向へ回動する力を加える付勢手段を有することを特徴とする。
この特徴によれば、画鋲の使用時に、簡単に針部と固定面を略垂直状態とすることができる。
【００１５】
更に本発明の画鋲の一実施態様としては、前記回動機構は、回動操作を行うための操作レバーを有することを特徴とする。
この特徴によれば、簡単に回動操作を行うことができる。
【００１６】
更に本発明の画鋲の一実施態様としては、前記回動機構は、前記固定面より突設してなり、前記回動機構の少なくとも一部は、前記固定面の外縁より内側に形成されることを特徴とする。
この特徴によれば、画鋲を壁等に刺した際に、壁と頭部の固定面の間に回動機構が挟まれ、回動機構の少なくとも一部は、固定面の外縁より内側に形成されることから、この領域において壁と固定面の間に空間が生じる。そして、画鋲を壁等から抜き取る際に、この空間に指や爪等がかけられるため、画鋲を壁等から抜き取りやすいという効果を奏する。
【００１７】
更に本発明の画鋲の一実施態様としては、前記頭部は、前記先端部を収容する収容部を有することを特徴とする。
この特徴によれば、画鋲の不使用時に、先端部を収容することができるため、指を傷つけるという危険性をさらに低減する。
【発明の効果】
【００１８】
本発明によれば、針先により指を傷つける恐れを低減し、かつ、収納時における嵩を低減して、安全性及び収納性に優れた画鋲を提供することができる。
【図面の簡単な説明】
【００１９】
【図１】本発明の第一の実施態様の画鋲の構造を示す概略説明図である。
【図２】本発明の第一の実施態様の画鋲の各部材の構造を示す分解図である。
【図３】本発明の第一の実施態様の画鋲の操作について説明する概略説明図である。
【図４】本発明の第二の実施態様の画鋲の構造を示す概略説明図である。
【図５】本発明の第三の実施態様の画鋲の構造を示す概略説明図である。
【図６】本発明の第四の実施態様の画鋲の構造を示す概略説明図である。
【図７】本発明の第五の実施態様の画鋲の構造を示す概略説明図である。
【図８】本発明の第六の実施態様の画鋲の構造を示す概略説明図である。
【図９】本発明の第七の実施態様の画鋲の構造を示す概略説明図である。
【図１０】本発明の第八の実施態様の画鋲の構造を示す概略説明図である。
【図１１】本発明の第九の実施態様の画鋲の構造を示す概略説明図である。
【発明を実施するための形態】
【００２０】
本発明の画鋲は、掲示物等を壁や柱等に貼付するための画鋲であり、先端部と固定端部を有する針部と、前記固定端部を固定する固定面を有する頭部と、を備えた画鋲において、前記固定端部は、前記固定端部を軸として前記先端部を回動する回動機構を有し、前記針部と前記固定面が略平行状態となる場合に、前記先端部は前記固定面の外縁より内側に収まることを特徴とする。
【００２１】
この画鋲は、固定端部を軸として先端部が回動するため、画鋲の未使用時には、針部はたたまれて、頭部の固定面に沿って（略平行状態となるように）配置される。そのため、画鋲の収納ケース等に収納する際に、嵩が小さくなり、収納性に優れるという効果を奏する。
また、針部の先端は、固定面の外縁の内側に収まるように配置されるため、本発明の画鋲は、頭部の外縁から針部の先端部が露出しない。そのため、収納ケースから取り出す際に、指に針が刺さるという危険性が低減されるという効果を奏する。
【００２２】
以下、本発明の実施形態を、添付画面を参照して詳細に説明する。なお、この実施形態は、本発明を限定するものではない。
［第一の実施態様］
図１に、本発明の第一の実施態様の画鋲１Ａの構造の概略説明図を示す。画鋲１Ａは、円盤状の頭部２Ａと、先端部３１と固定端部３２を有する針部３を具備する。針部３は、頭部２Ａの固定面２１上に、固定端部３２を軸として先端部３１が回動するように固定されている。針部３を回動するための回動機構４Ａは、固定端部３２に設けられた回動軸４１と、回動軸４１を固定する固定部材４２Ａにより構成され、図１では、針部３と頭部２Ａの固定面２１が、略平行状態となるように配置されている。針部３の長さは、先端部３１が固定面２１の外縁２２の内側に収まるように調整されている。
また、固定部材４２Ａには、回転可能に取り付けられたディスク５Ａを有し、針部３の回動を制限するロック機構を構成している。
【００２３】
図２には、第一の実施態様の画鋲１Ａの分解図を示す。図２（ａ）は、上方向から見た分解斜視図であり、図２（ｂ）は、下方向から見た分解斜視図である。図２（ｃ）は、針部３の回動動作を説明する概略説明図、図２（ｄ）は、ロック機構を構成するディスク５Ａを説明する概略説明図である。
【００２４】
図２（ａ）、図２（ｂ）、図２（ｃ）に示すように、針部３は、固定端部３２に回動軸４１を備え、回転軸４１は、固定面２１に形成された溝４３ａと、固定部材４２Ａに形成された溝４３ｂにより嵌め込まれて固定される。更に、固定面２１には、針部３の太さより大きい幅の切り欠き６Ａが溝４３ｂの位置まで形成されている。これにより、回動軸４１が回転すると、針部３は切り欠き６Ａを通って回動することができる。
【００２５】
図２（ａ）及び図２（ｄ）に示すように、固定部材４２Ａの天面（溝４３ｂの形成面と反対側の面）には、ディスク５Ａが取り付けられている。ディスク５Ａには鍵爪５１、固定部材４２Ａには鍵穴５２がそれぞれ形成されており、この鍵爪５１と鍵穴５２が係合することによりディスク５Ａと固定部材４２Ａは組み付けられている。鍵穴５２は固定部材４２Ａの周方向に形成されており、鍵爪５１が鍵穴５２をスライドすることにより、ディスク５Ａが固定部材４２Ａに対して回転することができる。また、ディスク５Ａには、固定部材４２Ａに形成された切り欠き６Ａと略同等の幅の切り欠き６Ｂが形成されている。
【００２６】
ディスク５Ａを回転させ、ディスク５Ａの切り欠き６Ｂと固定部材４２Ａの切り欠き６Ａを略同じ位置に合わせると、針部３の回転が可能となり、ディスク５Ａの切り欠き６Ｂと固定部材４２Ａの切り欠き６Ａの位置がずれると、針部３Ａは、回動が制限される。
【００２７】
なお、ディスク５Ａの周囲には、凹凸が形成され、回転操作の際の滑りを防止する滑り止め手段が形成されている。滑り止め手段は、凹部又は凸部のみを設けてもよいし、ラバー等の材質により滑り止め手段としてもよい。
【００２８】
第一の実施態様の画鋲１Ａにおいて、針部３の回動機構は、手動によって針部３を回動する。これにより、簡易的な構造により回動機構を構成することができる。
また、針部３が固定面２１と略垂直状態となる方向又は略平行状態となる方向へ回動する力を加える付勢手段を設けてもよい。付勢手段は、板バネやコイルバネ等の周知の付勢手段を使用することができる。
【００２９】
針部３の回動機構として、針部３が固定面２１と略垂直状態となる方向へ回動する付勢手段を有する場合には、使用時に、簡単に針部３と固定面２１を略垂直状態とすることができる。一方、回動機構として、針部３が固定面２１と略平行状態となる方向へ回動する付勢手段を有する場合には、未使用時に、針部３が起き上がって先端部３１を露出するという恐れがない。
【００３０】
また、第一の実施態様の画鋲１Ａでは、回動機構４Ａは、固定面２１から突設しており、固定面２１の外縁より内側に形成されている。この構成により、壁等に画鋲１Ａを刺して使用した場合に、頭部２Ａと壁面の間に空間が生じる。そのため、画鋲１Ａを壁面から引き抜く際に、頭部２Ａをつまみやすいという効果を奏する。
なお、本発明の画鋲において、回動機構を固定面から突設させる構成は必須ではないため、回動機構を固定面から突設せずに、頭部２Ａの内部に形成してもよい。
【００３１】
図３には、本発明の第一の実施態様の画鋲１Ａの操作について説明する概略説明図を示す。未使用時及び使用時の切り替えには、ディスク５Ａの切り欠き６Ｂと固定部材４２の切り欠き６Ａを略同じ位置に合わせて、針部３を回動させる。未使用時では、針部３を固定面２１に対して略平行状態としてディスク５Ａを回転し、針部３の回動をロックする。これにより、針部３が起き上がって先端部３１が露出する恐れがない。一方、使用時では、針部３を固定面２１に対して略垂直状態としてディスク５Ａを回転し、針部３の回動をロックする。これにより、画鋲を壁等に刺す操作の際に、針部３がぐらぐらと揺れず、画鋲を刺しやすいという効果がある。
【００３２】
［第二の実施態様］
図４に、本発明の第二の実施態様の画鋲１Ｂの構造の概略説明図を示す。第二の実施態様の画鋲１Ｂでは、頭部２Ａに穴部７が形成されている。穴部７は、針部３が頭部２の固定面２１と平衡状態となったときに、針部３と重なる位置に配置されている。この穴部７により、針部３に指爪等をかけることができるため、画鋲１Ｂの使用時に、簡単に針部をつまみ上げることができる。また、固定面２１の裏側から、穴部７を介して針部３を指等で押し上げることも可能である。
なお、針部３に指爪等を針部にかけるという作用効果を鑑みれば、針部３と重なる位置に凹部を形成してもよい。
【００３３】
［第三の実施態様〜第五の実施態様］
図５〜図７に、それぞれ本発明の第三の実施態様の画鋲１Ｃ、第四の実施態様の画鋲１Ｄ、第五の実施態様の画鋲１Ｅの構造の概略説明図を示す。これらの画鋲１Ｃ〜１Ｅでは、固定面２１に針部３の先端部３１を収容する収容部を備えている。
【００３４】
収容部とは、固定面２１の上に配置された針部３を収容するための構成であり、固定面２１に突設した構造物である。例えば、第三の実施態様の画鋲１Ｃにおける収容部８Ａのように、針部３の先端部３１を完全に収容する構造物の他、第四の実施態様の画鋲１Ｄにおける収容部８Ｂのように、針部３を収容し、先端部３１がわずかに突出している構造物や、第五の実施態様の画鋲１Ｅにおける収容部８Ｃのように、針部３の先端部３１をカバーするように形成された構造物等でもよい。
【００３５】
［第六の実施態様］
図８に、本発明の第六の実施態様の画鋲１Ｆの構造の概略説明図を示す。第六の実施態様の画鋲１Ｆでは、非円形の形状の板部材からなる頭部２Ｂを有している。このように、頭部の形状は、どのような形状でもよく、例えば、円形状、楕円状、三角形、四角形等の矩形状等が挙げられる。また、板部材だけでなく、ダルマ型やひょうたん型等でもよい。更に、頭部に装飾具を設けてもよい。
また、頭部の材質も特に制限されず、例えば、金属製やプラスチック製でもよい。
【００３６】
また、第六の実施態様の画鋲１Ｆは、回動操作を行うための操作レバー９Ａを備えている。操作レバー９Ａは、回動軸４１に固定されており、操作レバー９Ａを操作することにより、回動軸４１が回動する。また、操作レバー９Ａは、針部３と略垂直となるように回動軸４１に固定されている。これにより、操作レバー９Ａを、頭部２の固定面２１と略平行状態となるまで倒すことにより、針部３が固定面２１に対して略垂直状態となる。
なお、回動軸４１を固定する固定部材４２Ｂは、略中央に切り欠き６Ｃを形成して二分された構造物である。
【００３７】
更に、第六の実施態様の画鋲１Ｆは、針部３の回動を制限するためのロック機構として、操作レバー９Ａの先端に係止ピン５Ｂ、頭部２Ｂの固定面２１に係止ピン孔５Ｃが形成されている。このロック機構によれば、針部３と固定面２１が略垂直状態のときに、係止ピン５Ｂと係止ピン孔５Ｃが係止され、針部３の回動を制限することができる。
【００３８】
［第七の実施態様］
図９に、本発明の第七の実施態様の画鋲１Ｇの構造の概略説明図を示す。第七の実施態様の画鋲１Ｇでは、回動軸４１が固定部材４２Ａを貫通して形成され、回動軸４１の両端に、回動操作を行うための操作レバー９Ｂを有している。また、第六の実施態様と同様、ロック機構として、操作レバー９Ｂの先端に係止ピン５Ｄ、固定面２１に係止ピン孔５Ｅが形成されている。
【００３９】
［第八の実施態様］
図１０に、本発明の第八の実施態様の画鋲１Ｈの構造の概略説明図を示す。第八の実施態様の画鋲１Ｈでは、固定部材として截頭円錐形状の固定部材４２Ｃを有する。このように、本発明の画鋲において、固定部材の形状は特に制限されない。
【００４０】
［第九の実施態様］
図１１に、本発明の第九の実施態様の画鋲１Ｉの構造の概略説明図を示す。第九の実施態様の画鋲１Ｉでは、頭部としてダルマ型の頭部２Ｃを有する。このように、本発明の画鋲において、頭部の形状は特に制限されない。
【産業上の利用可能性】
【００４１】
本発明の画鋲は、壁や柱等の壁面、コルクボード等の掲示板等に掲示物等を貼付するための画鋲、押ピン等に利用される。
また、頭部に装飾具を備え、壁面等を装飾する飾りピンとして利用してもよい。
その他、頭部にフックを設け、ピンフックとして利用することもできる。
【符号の説明】
【００４２】
１Ａ，１Ｂ，１Ｃ，１Ｄ，１Ｅ，１Ｆ，１Ｇ，１Ｈ，１Ｉ…画鋲
２Ａ，２Ｂ，２Ｃ…頭部
２１…固定面、２２…外縁
３…針部
３１…先端部、３２…固定端部
４Ａ…回動機構
４１…回動軸、４２Ａ，４２Ｂ，４３Ｃ…固定部材、４３ａ，４３ｂ…溝
５Ａ…ディスク、５Ｂ，５Ｄ…係止ピン、５Ｃ，５Ｅ…係止ピン孔
５１…鍵爪、５２…鍵穴
６Ａ，６Ｂ，６Ｃ…切り欠き
７…穴部
８Ａ，８Ｂ，８Ｃ…収容部
９Ａ，９Ｂ…操作レバー
【図１】
2018154089.tif 000003
【図２】
2018154089.tif 000004
【図３】
2018154089.tif 000005
【図４】
2018154089.tif 000006
【図５】
2018154089.tif 000007
【図６】
2018154089.tif 000008
【図７】
2018154089.tif 000009
【図８】
2018154089.tif 000010
【図９】
2018154089.tif 000011
【図１０】
2018154089.tif 000012
【図１１】
2018154089.tif 000013
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
先端部と固定端部を有する針部と、前記固定端部を固定する固定面を有する頭部と、を備えた画鋲において、
前記固定端部は、前記固定端部を軸として前記先端部を回動する回動機構を有し、
前記回動機構は、前記針部の回動を制限するロック機構を有し、
前記先端部は、前記針部と前記固定面が略平行状態となる場合に、前記固定面の外縁より内側に収まることを特徴とする、画鋲。
【請求項２】
先端部と固定端部を有する針部と、前記固定端部を固定する固定面を有する頭部と、を備えた画鋲において、
前記固定端部は、前記固定端部を軸として前記先端部を回動する回動機構を有し、
前記回動機構は、前記固定面より突設してなり、前記回動機構の少なくとも一部は、前記固定面の外縁より内側に形成されており、
前記先端部は、前記針部と前記固定面が略平行状態となる場合に、前記固定面の外縁より内側に収まることを特徴とする、画鋲。
【請求項３】
前記回動機構は、手動によってのみ回動することを特徴とする、請求項１又は２に記載の画鋲。
【請求項４】
前記固定面は、凹部又は穴部を有し、前記針部と前記固定面が略平行状態となる場合に、前記針部が前記凹部又は穴部の領域と重なることを特徴とする、請求項１〜３のいずれかに記載の画鋲。
【請求項５】
前記回動機構は、前記針部が前記固定面と略垂直状態となる方向へ回動する力を加える付勢手段を有することを特徴とする、請求項１に記載の画鋲。
【請求項６】
前記回動機構は、回動操作を行うための操作レバーを有することを特徴とする、請求項１〜５のいずれかに記載の画鋲。
【請求項７】
前記頭部は、前記先端部を収容する収容部を有することを特徴とする、請求項１〜６のいずれかに記載の画鋲。